(57)【要約】 【課題】  親機及び子機の時刻を自動的に標準時刻に合わせることが可能なコードレス電話機を提供する。【解決手段】  コードレス電話機は、親機と、１台又は複数の子機とを含む複数の端末装置を備える。複数の端末装置のうち、１つの端末装置は、電波時計受信部を備え、国内の所定の場所から定期的に発信される標準時刻データを受信する。受信した標準時刻データに基づいて、表示部に標準時刻が表示される。また、この端末装置は、受信した標準時刻データを他の全ての端末装置へ送信する。他の端末装置は、電波時計受信部を備える１つの端末装置から標準時刻データを受信し、それに基づいて表示部に標準時刻を表示する。【選択図】      図４
2005311611.tif 000002
【特許請求の範囲】
【請求項１】
親機および子機を含む複数の端末装置を備えるコードレス電話機であって、前記複数の端末装置のうちの１つの端末装置は、
標準時刻データを含む標準電波を受信する電波時計受信部と、
前記標準時刻データに基づいて標準時刻を表示する表示部と、
他の全ての端末装置へ前記標準時刻を送信する送信部と、を備え、
前記他の端末装置の各々は、
前記１つの端末装置から前記標準時刻を受信する受信部と、
前記標準時刻を表示する表示部と、を備えることを特徴とするコードレス電話機。
【請求項２】
前記１つの端末装置は前記親機であることを特徴とする請求項１に記載のコードレス電話機。
【請求項３】
前記電波時計受信部は、前記親機から取り外し可能に構成されていることを特徴とする請求項２に記載のコードレス電話機。
【請求項４】
前記１つの端末装置は前記子機であることを特徴とする請求項１に記載のコードレス電話機。
【請求項５】
前記電波時計受信部は所定時間間隔で前記標準電波を受信し、
前記送信部は、前記電波時計受信部が前記標準電波を受信するたびに、前記標準時刻を他の端末装置へ送信することを特徴とする請求項１乃至４のいずれか一項に記載のコードレス電話機。
【発明の詳細な説明】
【技術分野】
【０００１】
本発明は、親機と子機を備えるコードレス電話機に関する。
【背景技術】
【０００２】
親機と子機を備えるコードレス電話機が知られている。一般的に、コードレス電話機では親機、子機ともに液晶表示部を備え、時計表示を行っている。しかし、電話機の時計機能は、使用を継続するとわずかではあるが誤差が生じていき、１年も使用すると表示時刻と現在時刻とのずれが生じる。このため、ユーザは定期的に親機及び子機の全ての時刻を合わせる操作が必要となり、これは不便である。
【０００３】
また、長時間の停電などが発生すると、親機の時計処理ができなくなり、現在時刻が消えてしまう。この場合も、ユーザは時刻を合わせる操作が必要となる。
【０００４】
このような不具合を防止するために、親機の時刻を子機に送信し、子機の時刻を親機の時刻と一致させる機能を有するコードレス電話機が特許文献１に記載されている。また、親機と子機の時刻データを相互に送受信し、親機と子機の時刻を同期させる機能を有するコードレス電話機が特許文献２に記載されている。
【０００５】
しかし、これらの文献に記載されているコードレス電話機においても、親機の時刻が狂った場合には、それをユーザが調整する必要がある。例えば、上述のように、長期間にわたり停電が発生した場合には、親機と子機の時刻は一致しているものの、その時刻は実際の時刻とはずれたままであり、それを正しい時刻に修正する作業はユーザが行わなければならない。
【０００６】
【特許文献１】特開２００１−３０８９８１号公報
【特許文献２】特開平１１−２２５３７２号公報
【発明の開示】
【発明が解決しようとする課題】
【０００７】
本発明が解決しようとする課題には上記のようなものが例として挙げられる。本発明は、親機及び子機の時刻を自動的に標準時刻に合わせることが可能なコードレス電話機を提供することを課題とする。
【課題を解決するための手段】
【０００８】
請求項１に記載の発明は、親機および子機を含む複数の端末装置を備えるコードレス電話機であって、前記複数の端末装置のうちの１つの端末装置は、標準時刻データを含む標準電波を受信する電波時計受信部と、前記標準時刻データに基づいて標準時刻を表示する表示部と、他の全ての端末装置へ前記標準時刻を送信する送信部と、を備え、前記他の端末装置の各々は、前記１つの端末装置から前記標準時刻を受信する受信部と、前記標準時刻を表示する表示部と、を備えることを特徴とする。
【発明を実施するための最良の形態】
【０００９】
本発明の１つの好適な実施形態では、親機および子機を含む複数の端末装置を備えるコードレス電話機において、前記複数の端末装置のうちの１つの端末装置は、標準時刻データを含む標準電波を受信する電波時計受信部と、前記標準時刻データに基づいて標準時刻を表示する表示部と、他の全ての端末装置へ前記標準時刻を送信する送信部と、を備え、前記他の端末装置の各々は、前記１つの端末装置から前記標準時刻を受信する受信部と、前記標準時刻を表示する表示部と、を備える。
【００１０】
上記のコードレス電話機は、親機と、１台又は複数の子機とを含む複数の端末装置を備える。複数の端末装置のうち、１つの端末装置は、電波時計受信部を備え、国内の所定の場所から定期的に発信され標準時刻データを含む標準電波を受信する。受信した標準時刻データに基づいて、表示部に標準時刻が表示される。この表示部は、常に時刻を表示する時計表示部とすることができる。この端末装置は、受信した標準時刻を他の全ての端末装置へ送信する。他の端末装置は、電波時計受信部を備える１つの端末装置から標準時刻を受信し、標準時刻を表示する。この表示部も、常に時刻を表示する時計表示部とすることができる。これにより、複数の端末装置は、電波時計により自動的に標準時刻に設定又は補正される。よって、利用者が複数の端末装置の時刻調整を行う必要がなくなる。
【００１１】
好適な１つの実施例では、電波時計受信部を備える前記１つの端末装置を親機とすることができる。一般的に、親機は子機に比べて各種の機能を搭載可能に構成されているので、親機に電波時計受信部を設けることにより設計を単純化し、低コスト化を図ることが可能となる。
【００１２】
この場合、前記電波時計受信部を前記親機から取り外し可能に構成することもできる。親機の設置場所には外部電話回線との関係などにより制限があるので、親機の設置場所において電波時計による標準電波の受信状況があまりよくない場合もある。その場合には電波時計受信部を親機から取り外して受信状況のよい場所に配置することも可能である。その場合、電波時計受信部から親機への標準時刻データの送信はケーブルを使用して行うことができる。また、電波時計受信部に送信部を搭載して小型ユニットとして構成すれば、親機への標準時刻データの送信を無線で行うことも可能である。
【００１３】
好適な他の実施例では、電波時計受信部を備える前記１つの端末装置を子機とすることができる。親機の設置場所には外部電話回線との関係などにより制限があるので、親機の設置場所において電波時計による標準電波の受信状況があまりよくない場合もある。これに対し、子機の配置場所は親機に比べて自由度が高い。よって、子機に電波時計受信部を搭載すれば、電波時計受信部による標準電波の受信を確実に行うことが可能となる。
【００１４】
上記のコードレス電話機の一態様では、前記電波時計受信部は所定時間間隔で前記標準時刻データを受信し、前記送信部は、前記電波時計受信部が前記標準時刻データを受信するたびに、前記標準時刻データを他の端末装置へ送信する。これにより、１つの端末装置が電波時計受信部により標準時刻データを受信するたびに、全ての端末装置の時計部を定期的に、かつ、自動的に補正することが可能となる。
【実施例】
【００１５】
以下、本発明の好適な実施例を図面に基づいて説明する。
【００１６】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。なお、以下の説明においては、親機と子機とを区別する必要がない場合に、各々を「端末装置」とも呼ぶ。
【００１７】
まず、親機１１０ａの構成について説明する。図２は、コードレス電話機１００の親機１１０ａの概略構成を示すブロック図である。
【００１８】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００１９】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２０】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは後述するように電話帳データなどを記憶する。
【００２１】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２２】
次に、子機１１０ｂの構成について説明する。図３は、コードレス電話機１００の子機１１０ｂの概略構成を示すブロック図である。
【００２３】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２４】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としてのメモリ１１５ｂが接続されており、メモリ１１５ｂは電話帳データなどを記憶する。
【００２５】
［第１実施例］
次に、第１実施例について説明する。図４は、第１実施例によるコードレス電話機の概略構成を示す機能ブロック図である。図示のように、コードレス電話機は、親機１１０ａと子機１１０ｂがそれぞれのアンテナ部６、２１を介して通信可能とされている。
【００２６】
親機１１０ａは、主制御部１１１ａと、表示部１１２ａと、操作部１１３ａと、時計部１１８ａと、電波時計受信部１１９ａとを備える。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。
【００２７】
表示部１１２ａは例えば液晶パネルなどにより構成され、電話番号など、電話に関する必要な情報の表示に使用される。また、表示部１１２ａには現在時刻が常に表示される。
【００２８】
操作部１１３ａは、ユーザが操作する操作ボタンなどにより構成される。無線部１１４ａは子機との間で必要なデータを無線通信する。
【００２９】
時計部１１８ａは、例えば水晶発振器などを備え、そのパルスを計数することにより現在時刻を算出する。時計部１１８ａが算出した時刻が表示部１１２ａに表示される。
【００３０】
電波時計受信部１１９ａは、電波時計により、日本標準時を取得する。電波時計とは、所定の送信所から発信される標準電波に基づいて日本標準時を取得する機能を有する時計である。日本標準時は、独立行政法人通信総合研究所が管理する原子時計により決定されている。日本標準時を示すデータ（以下、「標準時刻データ」と呼ぶ。）を含む標準電波は、国内の数カ所の送信所から送信されている。
【００３１】
電波時計受信部１１９ａは、小型のアンテナと、受信機と、マイクロプロセッサなどを備える。アンテナが標準電波を受信し、受信機が標準電波から受信パルスの形態の標準時刻データを抽出し、マイクロプロセッサがその標準時刻データに基づいて標準時刻を取得する。主制御部１１１ａは、そうして取得した標準時刻に基づいて時計部１１８ａの時刻を調整する。なお、電波時計受信部１１９ａは、主制御部１１１ａの制御下で所定時間間隔で定期的に標準電波を受信して標準時刻を算出する。
【００３２】
一方、子機１１０ｂは、主制御部１１１ｂと、表示部１１２ｂと、操作部１１３ｂと、無線部１１４ｂと、を備え、各部の働きは親機１１０ａのものと同様である。
【００３３】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。
【００３４】
次に、電波時計を利用した時刻の設定処理について説明する。本実施例では、親機１１０ａに搭載された電波時計受信部１１９ａが定期的に標準時刻を取得し、親機１１０ａ自身の時計部１１８ａに設定する。また、親機１１０ａは、その標準時刻を無線部１１４及びアンテナ６、２１を利用して各子機１１０ｂに送信し、子機の時計部１１８の時刻を標準時刻に修正する。これにより、コードレス電話機１００を構成する全ての端末装置、即ち親機及び子機の時計が定期的に標準時刻に修正される。よって、ユーザが何らの作業を行う必要なく、全ての端末装置は標準時刻に維持される。もちろん、親機と子機の時刻のずれも防止される。
【００３５】
図５に本実施例による時刻設定処理のフローチャートを示す。図５（ａ）が親機側の処理のフローチャートであり、図５（ｂ）が子機側の処理のフローチャートである。なお、これらの処理は、それぞれ親機１１０ａ及び子機１１０ｂの主制御部１１１ａ及び１１１ｂが、予め用意されたプログラムを実行することにより実現することができる。
【００３６】
まず、親機側の処理について説明する。図５（ａ）に示す処理は、予め決定された所定時間間隔毎に定期的に実行される。まず、時刻設定処理を行うべき時間になると、主制御部１１１ａは電波時計受信部１１９ａを制御して標準電波を受信させる。そして、標準時刻の取得が完了すると（ステップＳ１）、親機１１０ａ内の時計部１１８ａに標準時刻を設定する（ステップＳ２）。
【００３７】
次に、主制御部１１１ａは、１台の子機１１０ｂを送信先端末装置に決定し（ステップＳ３）、その送信先端末装置へ標準時刻を送信する（ステップＳ４）。そして、全ての送信先端末装置、即ち全ての子機１１０ｂに対して標準時刻を送信したか否かを判定する（ステップＳ５）。こうして、全ての送信先端末装置へ標準時刻を送信すると（ステップＳ５；Yes）、親機側の処理は終了する。
【００３８】
次に、図５（ｂ）を参照して、子機側の処理を説明する。なお、子機側の処理は、主制御部１１１ｂは、前述のステップＳ４にて親機から送信された標準時刻を受信したときに実行する。具体的には、主制御部１１１ｂは親機１１０ａから標準時刻を受信したときに（ステップＳ１１）、その標準時刻を時計部１１８ｂに設定する（ステップＳ１２）。こうして、各子機１１０ｂの時刻も全て標準時刻に調整される。
【００３９】
以上のように、本実施例によれば、電波時計により、正確な日本標準時を表示する端末装置を家庭内に複数所有することができる。また、停電などにより電話機が動作しなくなった場合でも、復旧後には電波時計により自動的に正確な時刻表示を行うことができる。
【００４０】
なお、上記の実施例において、電波時計受信部１１９ａは基本的に親機１１０ａの本体の一部に取り付けられる。但し、電波時計受信部１１９ａを親機から取り外し可能な小型ユニットとして構成し、親機１１０ａの本体とは離れた場所に配置することも可能である。一般的に親機は外部の電話回線との接続が必要であるなどの理由により、家庭内における設置可能場所にある程度の制限があり、親機を配置した場所で標準電波の受信状態が良くない場合も考えられる。そのような場合には、電波時計受信部１１９ａを小型ユニットとして構成し、これを標準電波の受信状態が良好な場所に設置すればよい。その場合、電波時計受信部１１９ａから親機１１０ａへの標準時刻データの供給はケーブルなどを使用してもよいし、無線通信により行ってもよい。
【００４１】
［第２実施例］
次に、本発明の第２実施例を説明する。第１実施例では電波時計受信部を親機側に設けたが、第２実施例は電波時計受信部を子機側に設けるものである。
【００４２】
図６に、第２実施例によるコードレス電話機の構成を示す。図４に示す第１実施例のコードレス電話機と比較するとわかるように、電波時計受信部１１９ｂが親機１１０ａではなく、子機１１０ｂに設けられている点が異なっているが、それ以外の点は第１実施例と同様である。なお、子機が複数ある場合でも、電波時計受信部はそのうちの１台にのみ設けられる。即ち、電波時計受信部を有しない子機の構成は、図４に示すものと同様となる。
【００４３】
図７に本実施例による時刻設定処理のフローチャートを示す。図７（ａ）は電波時計受信部１１９ｂを有する子機の処理のフローチャートであり、図７（ｂ）は親機及び電波時計受信部を有しない子機の処理のフローチャートである。なお、これらの処理は、それぞれ親機１１０ａ及び子機１１０ｂの主制御部１１１ａ及び１１１ｂが、予め用意されたプログラムを実行することにより実現することができる。
【００４４】
まず、電波時計受信部を有する子機の処理について説明する。図７（ａ）に示す処理は、予め決定された所定時間間隔毎に定期的に実行される。まず、時刻設定処理を行うべき時間になると、主制御部１１１ｂは電波時計受信部１１９ｂを制御して標準電波を受信させる。そして、標準時刻の取得が完了すると（ステップＳ２１）、その子機１１０ｂ内の時計部１１８ｂに標準時刻を設定する（ステップＳ２２）。
【００４５】
次に、主制御部１１１ｂは、親機１１０ａを送信先端末装置に決定し（ステップＳ２３）、その送信先端末装置へ標準時刻を送信する（ステップＳ２４）。そして、全ての送信先端末装置、即ち親機１１０ａ及び他の（即ち電波時計受信部を有しない）全ての子機１１０ｂに対して標準時刻を送信したか否かを判定する（ステップＳ２５）。こうして、全ての送信先端末装置へ標準時刻を送信すると（ステップＳ２５；Yes）、電波時計受信部を備える子機の処理は終了する。
【００４６】
次に、図７（ｂ）を参照して、親機１１０ａ及び電波時計受信部を有しない子機１１０ｂの処理を説明する。なお、この処理は、前述のステップＳ２４にて、電波時計受信部を有する子機１１０ｂから送信された標準時刻を受信したときに、親機又は子機の主制御部１１１が実行する。具体的には、親機１１０ａ又は電波時計受信部を有しない子機１１０ｂの主制御部１１１は電波時計受信部を有する子機１１０ｂから標準時刻を受信したときに（ステップＳ３１）、その標準時刻を時計部１１８に設定する（ステップＳ３２）。こうして、親機１１０ａ及び電波時計受信部を有しない各子機１１０ｂの時刻も全て標準時刻に調整される。
【００４７】
前述のように、一般的に親機は外部の電話回線との接続が必要であるなどの理由により、家庭内における設置可能場所にある程度の制限があり、親機を配置した場所で標準電波の受信状態が良くない場合も考えられる。この点、子機の設置場所には親機に比べて制限が少ない。よって、電波時計受信部を子機に設けることとすれば、その子機を標準電波の受信状況の良い場所に配置することが容易となる。
【図面の簡単な説明】
【００４８】
【図１】本発明の実施例に係るコードレス電話機の全体構成を模式的に示す。
【図２】親機の概略構成を示すブロック図である。
【図３】子機の概略構成を示すブロック図である。
【図４】第１実施例によるコードレス電話機の構成要素を示すブロック図である。
【図５】第１実施例による時刻設定処理のフローチャートである。
【図６】第２実施例によるコードレス電話機の構成要素を示すブロック図である。
【図７】第２実施例による時刻設定処理のフローチャートである。
【符号の説明】
【００４９】
６、２１  アンテナ
１００  コードレス電話機
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１８ａ、１１８ｂ  時計部
１１９ａ、１１９ｂ  電波時計受信部
【図１】
2005311611.tif 000003
【図２】
2005311611.tif 000004
【図３】
2005311611.tif 000005
【図４】
2005311611.tif 000006
【図５】
2005311611.tif 000007
【図６】
2005311611.tif 000008
【図７】
2005311611.tif 000009